(57)【要約】      （修正有）【課題】養殖魚用として生餌や配合飼料に加えることで、摂餌誘引効果に優れ、養殖魚の成長を促進し、健康状態を良好にし、消化性もよく、飼料効率が向上した組成物あるいは飼料の提供。【解決手段】魚原油から調製されてなるリン脂質組成物と醤油及び糖類を主原料とする混合物を基質として、醤油発酵に用いられる微生物、すなわち乳酸菌又は／及び酵母による発酵処理をした組成物とする。【選択図】なし【特許請求の範囲】
【請求項１】
魚由来リン脂質及び醤油と糖源を含む基質に乳酸菌又は／及び酵母を培養して得られた発酵組成物。
【請求項２】
魚由来リン脂質と、醤油と糖源を含む基質に乳酸菌又は／及び酵母を培養して得られた発酵物とを含む発酵組成物。
【請求項３】
乳酸菌が耐塩性乳酸菌であり、酵母が耐塩性酵母である請求項１または２に記載の組成物。
【請求項４】
乳酸菌がテトラジェノコッカス属またはラクトバチラス属の乳酸菌であり、酵母がチゴサッカロマイセス属の酵母である請求項１または２に記載の組成物。
【請求項５】
魚由来リン脂質が、魚頭部を主原料として採油された魚原油から調製されたリン脂質である請求項１〜４のいずれかに記載の組成物。
【請求項６】
醤油と糖源及び魚頭部を主原料として採油された魚原油から調製されたリン脂質を基質とし、テトラジェノコッカス属の乳酸菌及び酵母チゴサッカロマイセス・ルキシを加えて２０〜３０℃で１〜３週間培養して得られた、請求項１に記載の組成物。
【請求項７】
醤油と糖源を基質とし、テトラジェノコッカス属の乳酸菌及び酵母チゴサッカロマイセス・ルキシを加えて２０〜３０℃で１〜３週間培養して得られた発酵物と、魚頭部を主原料として採油された魚原油から調製されたリン脂質を配合した、請求項２に記載の組成物。
【請求項８】
請求項１〜７のいずれかに記載の組成物を配合した魚の飼料又は釣り餌。
【発明の詳細な説明】
【技術分野】
【０００１】
本発明は魚類の摂餌促進作用を有する組成物、ならびにそれを配合した飼料に関する。本発明の組成物は、飼料に添加あるいは混合することで養魚に対して摂餌を促進し、栄養強化にもなる。
【背景技術】
【０００２】
現在日本国内では、マダイ、ブリ、カンパチ、ヒラメ、トラフグ、クロマグロ、ウナギなど、様々な魚種の養殖が盛んに行われている。近年の養殖技術の発達により、養殖魚種も増え、高品質な養殖魚の生産が行われている。安定した供給が可能である点や、水産資源保護の観点から、ますます養殖業への期待が高まっている。
【０００３】
養殖魚の飼料として、イワシ・アジ・サバなどの生餌が主に使用されてきたが、生餌は安定供給が困難であり、季節や捕獲地域により品質が変動するため、栄養面で不安があり、さらには保存・給餌に手間がかかる、養殖場を汚すなど様々な問題があった。
【０００４】
そこで近年では、生餌と配合飼料を混合して成型した飼料（モイストペレット）、さらには人工配合飼料のみが主流となりつつある。人工配合飼料は一年を通じて安定供給が可能で組成の調整がなされており、種々の添加物を加えることで養殖魚の健康管理や品質向上の効果も期待されたからである。
【０００５】
しかし、人工配合飼料は従来の生餌に比べて、養殖魚の嗜好性の面で劣るという報告がある。また冬場など海水温が低下した時期に、養殖魚の摂食量が低下し、成長速度が低下することが知られている。
【０００６】
これまでにも養殖魚の嗜好性を高める人工配合飼料・飼料用添加物の開発が行われており、味噌、酒粕、焼酎粕などに摂餌誘因効果があることが報告されているが、十分に満足のいくものではない。また、本発明者らは、以前の研究により魚由来リン脂質組成物に摂餌促進効果がある事を見出していた（特願２０１１−２００５２７）。
【０００７】
引き続き摂餌誘引効果のみならず、加えて、養殖魚の成長を促進し、健康状態を良好にする人工配合飼料や人工配合飼料用添加物の開発が求められている現状である。
【先行技術文献】
【特許文献】
【０００８】
【特許文献１】特願２０１１−２００５２７明細書
【発明の概要】
【発明が解決しようとする課題】
【０００９】
養殖魚用として生餌や配合飼料に加えることで、摂餌誘引効果に優れ、養殖魚の成長を促進し、健康状態を良好にする組成物あるいは飼料を提供することが本発明の解決課題であった。さらには、消化性もよく、飼料効率が向上した組成物あるいは飼料を提供することも本発明の解決課題であった。
【課題を解決するための手段】
【００１０】
そこで、さらなる効果の向上を目指して鋭意研究を行った結果、魚原油から調製されてなるリン脂質組成物に醤油及び糖類を主原料とする再発酵物を加えた混合物に、養殖魚の摂餌と成長を促進する優れた効果があることを見出した。さらに魚由来リン脂質組成物に醤油及び糖類を混合して、醤油発酵に用いられる微生物による発酵処理をした組成物はより効果が高いことがわかり、本発明を完成させるに至った。
【００１１】
すなわち、本発明は、下記の１〜８を提供するものである：
１．魚由来リン脂質及び醤油と糖源を含む基質に乳酸菌又は／及び酵母を培養して得られた発酵組成物。
２．魚由来リン脂質と、醤油と糖源を含む基質に乳酸菌又は／及び酵母を培養して得られた発酵物とを含む発酵組成物。
３．乳酸菌が耐塩性乳酸菌であり、酵母が耐塩性酵母である１または２に記載の組成物。
４．乳酸菌がテトラジェノコッカス属またはラクトバチラス属の乳酸菌であり、酵母がチゴサッカロマイセス属の酵母である１または２に記載の組成物。
５．魚由来リン脂質が、魚頭部を主原料として採油された魚原油から調製されたリン脂質である１〜４のいずれかに記載の組成物。
６．醤油と糖源及び魚頭部を主原料として採油された魚原油から調製されたリン脂質を基質とし、テトラジェノコッカス属の乳酸菌及び酵母チゴサッカロマイセス・ルキシを加えて２０〜３０℃で１〜３週間培養して得られた、１に記載の組成物。
７．醤油と糖源を基質とし、テトラジェノコッカス属の乳酸菌及び酵母チゴサッカロマイセス・ルキシを加えて２０〜３０℃で１〜３週間培養して得られた発酵物と、魚頭部を主原料として採油された魚原油から調製されたリン脂質を配合した、２に記載の組成物。
８．１〜７のいずれかに記載の組成物を配合した魚の飼料又は釣り餌。
【発明の効果】
【００１２】
本発明の魚由来リン脂質含有発酵組成物を養殖魚用配合飼料に添加することで、養殖魚の摂餌量が増加し、飼料効率が良くなり、成長が早まる効果が得られる。
【発明を実施するための形態】
【００１３】
本発明は、魚由来リン脂質と醤油と乳酸菌及び／又は酵母を含む発酵組成物に関するものである。
【００１４】
詳細には、本発明は、１の態様において、魚由来リン脂質及び醤油と糖源を含む基質に乳酸菌又は／及び酵母を培養して得られた発酵組成物に関するものである。
【００１５】
さらに本発明は、もう１つの態様において、魚由来リン脂質と、醤油と糖源を含む基質に乳酸菌又は／及び酵母を培養して得られた発酵物とを含む発酵組成物に関するものである。
【００１６】
本発明の発酵組成物は、魚類において極めて優れた摂餌促進効果を有し、養殖魚の成長を促進し、健康状態を良好に保つという優れた特徴を有する。
【００１７】
本発明における魚由来リン脂質については、それが由来する魚の種類並びにその取得方法はいずれのものであってもよい。典型的には、魚類から採取されたリン脂質を多く含む画分あるいはその精製物を魚由来リン脂質として用いることができる。好ましくは、魚由来リン脂質は、魚頭部を主原料として採油された魚原油から調製されたものである。魚原油は、魚類から採取された油脂であり、カツオやマグロなどの頭部を主原料として採油された魚原油が好ましい。なお、採油する頭部に他の部位、例えば尾部等が少量混入していてもかまわない。例えばカツオの場合、鰹節等の製造工程において、可食部以外の頭部を主原料とする残滓から大規模な採油が行われている。マグロ頭部についても同様に採油されている。イワシ油やサンマ油など全魚体から採油する魚原油に比べ、カツオ・マグロなどの魚原油にはリン脂質が主体の極性脂質が多く含まれているので原料として望ましい。
【００１８】
また、本発明の組成物において、魚由来リン脂質のほかに、組成物の成分中に含まれるリン脂質あるいは他の原料（例えば大豆）由来のリン脂質が含まれていてもよい。
【００１９】
本発明における魚由来リン脂質を得るためには、魚原油を精製する前に処理を行い、リン脂質を多く含む画分を分離し、回収することが望ましい。具体的な方法の例を下記に示すが、必ずしもこの方法に限定されるものではない。
【００２０】
まず遠心分離またはろ過等の処理により、魚原油に含まれる重合物や微量の蛋白等の夾雑物を除くことが望ましい。次に魚原油を油脂結晶が析出しない程度の低い温度に保ち、水を添加する。この温度として３０〜６０℃が望ましく、さらに望ましくは３０〜４０℃である。水の添加量は予想されるリン脂質の含有量により調整でき、魚原油に対して１〜５％、望ましくは２〜４％が好ましい。添加水の温度は油温と同じか、近い温度が好ましい。この際、水の替わりにクエン酸・リン酸などを添加した水溶液を用いることも可能である。水添加後、激しく攪拌することでリン脂質の油からの遊離と凝集を促進する。さらに、添加する水粒子をできるだけ小さくして油中に供給すると、さらに遊離と凝集が促進され好ましい。撹拌の後、静置すると上部に油層、中間部にリン脂質層、下部に水層となる３層に分離するので中間層を回収する。この時に遠心分離機を使用することができる。
【００２１】
回収した中間部のリン脂質層（魚由来リン脂質画分）には、リン脂質以外に中性脂質と水分も多く混入している。この含水物をそのまま利用することも出来るが、公知の方法で水分を除去してもよい。含水物のまま保存する場合は、保存性の向上のためにクエン酸やリン酸などの酸を添加してもよい。その際はｐＨを４．２以下に調整することが望ましい。
【００２２】
また、更にリン脂質含量を高めるために公知の方法で残存する水分と中性油を除去することができる。具体的な例として、更なる遠心分離やアセトン分配等により除去する方法がある。さらにヘキサンやエタノールなどの有機溶剤を併用することもできる。
【００２３】
このようにして得られた魚由来リン脂質画分は、５％以上のリン脂質が含まれていることが望ましく、さらに望ましくは１０％以上である。そのリン脂質組成は、グリセロリン脂質およびスフィンゴミエリンが主成分であり、例えば５０〜９５％がグリセロリン脂質、５〜５０％がスフィンゴミエリンである。グリセロリン脂質はホスファチジルコリンおよびリゾホスファチジルコリンが主成分である。また、リン脂質の構成脂肪酸にはＤＨＡを代表とする炭素数２０以上の多価不飽和脂肪酸を含有するという特徴を有する。
【００２４】
このような特徴を持った魚由来リン脂質画分に乳酸菌及び／又は酵母の発酵物を加えるか、その後さらに発酵させることによって、本発明のリン脂質含有発酵組成物が得られる。
【００２５】
酵母及び乳酸菌は耐塩性を有するものを適宜選択して用いることができる。耐塩性の酵母としてはチゴサッカロミセス属、カンジダ属、ハンゼヌラ属の酵母が例示されるが、これらに限定されない。耐塩性の乳酸菌としては、ラクトバチラス属、テトラジェノコッカス属の乳酸菌が例示されるが、これらに限定されない。本発明において好ましい酵母および乳酸菌は、例えば、酵母はチゴサッカロミセス属、乳酸菌はテトラジェノコッカス属、ラクトバチラス属から選択され、より好適には酵母チゴサッカロミセス・ルキシー、乳酸菌テトラジェノコッカス・ハロフィラス又はラクトバチラス・プランタラムの組み合わせがよい。
【００２６】
培養に使用する乳酸菌は１種類または２種類以上であってもよい。また、培養に使用する酵母も１種類または２種類以上であってもよい。酵母及び／又は乳酸菌に加えて、他の種類の微生物を培養に用いてもよい。
【００２７】
酵母及び／又は乳酸菌の発酵物は、醤油に糖源を添加した培地を用いることができる。醤油は特に限定するものではなく、淡口、濃口、溜まり、あるいは生醤油などのいずれでも利用できる。
【００２８】
糖源は乳酸菌及び／又は酵母が利用できる物であればよく、中でも、ブドウ糖が経済性等の点から最も利用しやすい。
【００２９】
培地（基質）や発酵条件は特に限定するものではなく、酵母及び／又は乳酸菌が旺盛に生育する条件であればよい。例えば、醤油は１０〜８０％、好ましくは２０〜４０％とし、糖源は５〜２０％、好ましくは１０％前後になるように加えるとよい。また、食塩濃度は特に調整する必要はないが５〜１５％程度の時発酵が容易である。ｐＨは調整する必要はないが、酵母又は／及び乳酸菌の生育、発酵を旺盛にするために５〜５．５程度に調整してもよい。
【００３０】
さらに、雑菌による汚染を抑制するために、培地を殺菌すること、無菌的に培養する技術などが適宜利用できる。
【００３１】
このような培地に酵母及び／又は乳酸菌を添加してから、例えば２０〜３５℃で３日〜１ヶ月程度培養すればよい。このようにして得られた発酵液と魚由来リン脂質画分を概ね１：０．２〜１：５、好ましくは１：０．５〜１：３の割合で混合すると本発明の一つの態様のリン脂質含有発酵組成物が得られる。
【００３２】
この発酵組成物をそのまま、例えば２〜３０日程度追加発酵させることによって、別の態様のリン脂質含有発酵組成物が得られる。
【００３３】
さらに別の態様として、魚由来リン脂質画分と醤油及びブドウ糖を混合した培地に、上記発酵液、又は、別途培養した乳酸菌及び／又は酵母培養液をスターターとして加えて、上記条件で発酵させることによってリン脂質含有発酵組成物を調製することもできる。このとき、醤油と魚由来リン脂質画分の比率は限定されないが、概ね１００：１〜１：１００程度、好ましくは１０：１〜１：１０とし、粘性が高いときは水で適宜希釈した後、その混合液に対して糖源を５〜２０％程度加え、必要に応じて食塩やｐＨを調整すればよい。
【００３４】
大量生産に際しては、リン脂質含量の調整、発酵日数の短縮、発酵制御のし易さなどの面から、あらかじめ醤油と糖源を含む培地に乳酸菌又は／及び酵母を十分に培養させた発酵液に魚由来リン脂質画分を混合して発酵を行うことが望ましい。
【００３５】
このようにして得られたリン脂質含有発酵組成物を、脂質量を考慮して一般的な飼料等に配合して、本発明の魚の飼料や釣り餌が得られる。したがって、本発明は、さらなる態様において、上記発酵組成物を配合して得られる魚の飼料または釣り餌を提供するものである。本発明の魚の飼料や釣り餌は、極めて優れた摂餌促進効果を有し、養殖魚の成長を促進し、健康状態を良好に保つという優れた特徴を有する。
【００３６】
上記発酵組成物を、適宜配合して飼料を調製することができ、例えば１〜６０質量％配合することができる。他の栄養成分を考慮すると２〜３０質量％配合することがさらに好ましい。上記発酵組成物に含まれている水分は飼料を調製する際に乾燥させることにより除くことが可能であるので、必要な配合量は飼料中の脂質量・リン脂質量から算出すると良い。
【００３７】
本発明の発酵組成物に含まれるリン脂質が飼料中０．1質量％以上となるように魚由来リン脂質含有発酵物を配合することが好ましい。
【００３８】
本発明の人工配合飼料の形態については特に限定されるものではなく、魚類に給餌可能であれば、いかなる形態であってもよい。具体的にはモイストペレットやドライペレットが例示できる。
【００３９】
本発明は、さらなる態様において、醤油と糖源及び魚頭部を主原料として採油された魚原油から調製されたリン脂質を含む基質に、乳酸菌又は／及び酵母を培養することを特徴とする、発酵組成物の製造方法を提供する。
【００４０】
本発明は、さらにもう１つの態様において、醤油と糖源を含む基質に乳酸菌又は／及び酵母を培養して発酵物を得て、次いで、得られた発酵物と魚頭部を主原料として採油された魚原油から調製されたリン脂質を配合することを特徴とする、発酵組成物の製造方法を提供する。
【００４１】
上記製造方法において、乳酸菌および酵母は耐塩性のものが好ましく、醤油乳酸菌および醤油酵母が例示される。好ましい乳酸菌としてはテトラジェノコッカス属またはラクトバチラス属の乳酸菌が挙げられ、好ましい酵母としてはチゴサッカロマイセス属の酵母が挙げられるが、これらに限定されるものではない。
【００４２】
本発明の発酵組成物の好ましい製造方法の具体例としては、醤油と糖源及び魚頭部を主原料として採油された魚原油から調製されたリン脂質を基質とし、醤油乳酸菌テトラジェノコッカス及び酵母チゴサッカロマイセス・ルキシを加えて２０〜３０℃で１〜３週間培養することを特徴とする方法が例示される。
【００４３】
本発明の発酵組成物のもう１つの好ましい製造方法の具体例としては、醤油と糖源を基質とし、醤油乳酸菌テトラジェノコッカス及び酵母チゴサッカロマイセス・ルキシを加えて２０〜３０℃で１〜３週間培養して発酵物を得て、次いで、魚頭部を主原料として採油された魚原油から調製されたリン脂質を配合することを特徴とする方法が例示される。
【００４４】
上記製造方法により得られる発酵組成物は、魚類において極めて優れた摂餌促進効果を有し、養殖魚の成長を促進し、健康状態を良好に保つという優れた特徴を有する。
【００４５】
さらなる態様において、本発明は、上記発酵組成物を配合することを特徴とする、魚の飼料または釣り餌の製造方法を提供するものである。この方法により得られた魚の飼料や釣り餌は、極めて優れた摂餌促進効果を有し、養殖魚の成長を促進し、健康状態を良好に保つという優れた特徴を有する。
【００４６】
以下、実施例を挙げて本発明を具体的に説明するが、これらの実施例は本発明の範囲を限定するものではない。本発明の実施例における材料および方法は下記の通りである。
【００４７】
脂質含量および中性脂質含量・リン脂質含量の測定
魚由来リン脂質画分からの脂質の抽出はＦｏｌｃｈ法により行い、その重量より脂質含量を算出した。
【００４８】
Ｆｏｌｃｈ法により抽出した脂質は、Ｓｅｐ−Ｐａｋ Ｓｉｌｌｉｃａカートリッジ（Ｗａｔｅｒｓ社製）により、中性脂質とリン脂質に分画し、重量より各々の含量を算出した。
【００４９】
リン脂質各組成含量の測定方法
上記カートリッジ分画により得られたリン脂質を、薄層クロマトグラフィーで各リン脂質成分を分離させた後、ＦＩＤ検出器による定量をイアトロスキャンＭｋ−６（株式会社三菱化学ヤトロン製）を用いて行なった。
【００５０】
なお、各リン脂質スポットのＲｆ値の判別に使用した標準品は以下の通りである。
ホスファチジルコリン（大豆由来・フナコシ株式会社製）、リゾホスファチジルコリン（卵黄由来・和光純薬工業株式会社製）、スフィンゴミエリン（牛脳由来・シグマアルドリッチジャパン株式会社製）、ホスファチジルエタノールアミン（卵由来・和光純薬工業株式会社製）、リゾホスファチジルエタノールアミン（卵由来・フナコシ株式会社製）、ホスファチジン酸（卵由来・フナコシ株式会社製）、ホスファチジルセリン（牛脳由来・フナコシ株式会社製）、ホスファチジルイノシトール（ブタ肝臓由来・フナコシ株式会社製）。
【００５１】
中性脂質およびリン脂質の脂肪酸組成測定方法
上記カートリッジ分画により得られた中性脂質・リン脂質に、内部標準物質（トリコサン酸）を加えた後、三フッ化ホウ素−メタノール法により脂肪酸のメチルエステルを調製した。得られた脂肪酸のメチルエステルは常法のガスクロマトグラフィー法により分析した。用いた装置はＧＣ−１７Ａ（株式会社島津製作所製）、カラムはＢＰＸ−７０（ＳＧＥ社製）、昇温条件は、１４０℃で２分保持後、２４０℃まで５℃／分で昇温し、２４０℃で２０分保持とした。
【００５２】
魚由来リン脂質画分の調製
カツオ原油（カツオ頭部を主体とする鰹節製造時の残渣から採油された魚原油、酸価９．０）1００ｋｇを４０℃に加温し、水温３５℃の水３ｋｇを少しずつ加えながら３０分間攪拌した。１８時間の静置により上層・中間層・下層の３層に分離させた後、中間層（魚由来リン脂質画分）２ｋｇを回収した。表１にカツオ原油から得られた魚由来リン脂質画分の組成と、中性脂質・リン脂質の脂肪酸組成を示す。
【００５３】
【表１】
2014030385.tif 000002
【実施例１】
【００５４】
実施例１：魚由来リン脂質含有発酵物の調製
上記魚由来リン脂質画分１００ｇ、製品濃口醤油８０ｍｌ、ブドウ糖１０ｇ、食塩６ｇに水を加えて溶解し２００ｍＬとした。この溶液は食塩１０％、アルコール１％、ｐＨ５．１であった。これを基質として、醤油酵母（チゴサッカロミセス・ルキシー）及び醤油乳酸菌（テトラジェノコッカス・ハロフィラス）をおおよそ１０６／ｍｌになるように添加し、２５〜３０℃で５日間静置培養し発酵させた。
【００５５】
得られた魚由来リン脂質含有発酵物（これをＰ１とする）はｐＨ４．６、Ａｌｃ３．５％、また、生菌数は酵母３ｘ１０８、乳酸菌5ｘ１０７／ｍｌであった。
【００５６】
醤油を主原料とする発酵物の調製
発酵物Ａ
製品淡口醤油５００ｍｌ、ブドウ糖１００ｇ、食塩５０ｇに水を加えて溶解し１Ｌとした。この溶液は食塩１３％、アルコール１．２％、ｐＨ５．１であった。これを基質として、醤油酵母（チゴサッカロミセス・ルキシー）及び醤油乳酸菌（テトラジェノコッカス・ハロフィラス）をおおよそ１０５／ｍｌになるように添加し、２５〜３０℃で１０日間静置培養し発酵させた。
【００５７】
発酵液はｐＨ４．６、Ａｌｃ３．５％、また、生菌数は酵母２ｘ１０８、乳酸菌３ｘ１０７／ｍｌであった。乳酸菌は顕微鏡下では１０９／ｍｌ以上観察できたので、増殖後一部が死滅したものと思われた。
【実施例２】
【００５８】
実施例２：魚由来リン脂質含有発酵物の調製
上記魚由来リン脂質画分１００ｇと、上記発酵物Ａ１００ｇを撹拌機でよく混合し、魚由来リン脂質含有発酵物Ｐ２とした。このＰ２を３０℃インキュベータ中で時々攪拌しながら１週間発酵させたものを魚由来リン脂質含有発酵物Ｐ３とした。
【００５９】
上記魚由来リン脂質画分６５ｇと、上記発酵物Ａを２７．５ｇと、ブドウ糖７．５ｇをよく混合し、３０℃インキュベータ中で時々攪拌しながら３週間発酵させたものを魚由来リン脂質含有発酵物Ｐ４とした。
【実施例３】
【００６０】
実施例３：魚由来リン脂質含有発酵物を含む配合飼料の調製
実施例１で得られた魚由来リン脂質含有発酵物Ｐ１を配合した試験用配合飼料を調製した。原料と配合量は表２に示した。
【００６１】
まず、魚粉６０ｇ、薄力粉１６．５ｇ、ハルバー処方ビタミン混合物５ｇ、ハルバー処方ミネラル混合物８ｇ、タウリン０．５ｇをよく混合した。この混合物にナイスフィードオイルＲ９．７ｇ、実施例１で得られた魚由来リン脂質含有発酵物Ｐ１を１５ｇ、水１８ｇを加えよく捏ね合わせた。これをにんにく絞り器で少しずつ押し出し、押し出された飼料をナイフで切断し、粒径２ｍｍ程度の粒状にした。造粒後は冷蔵庫にて保管し、冷蔵飼料ＣＰ１とした。
【００６２】
比較例１：魚由来リン脂質も発酵物も含まない飼料の調製
魚由来リン脂質および発酵物を含まない試験用配合飼料を調製した。製造方法は実施例３と同様に行い、冷蔵飼料ＣＰ２とした。原料と配合は表２に示した。
【実施例４】
【００６３】
実施例４：魚由来リン脂質含有発酵物を含む配合飼料の調製
実施例２で得られた魚由来リン脂質含有発酵物Ｐ３を配合した試験用配合飼料を調製した。製造方法は実施例３と同様に行い、冷蔵飼料ＣＰ３とした。原料と配合量は表２に示した。  
【実施例５】
【００６４】
実施例５：魚由来リン脂質と発酵物Ａを含む配合飼料の調製
実施例２で得られた魚由来リン脂質含有発酵物Ｐ２を配合した試験用配合飼料を調製した。原料と配合は表２に示した。製造方法は実施例３と同様に行い、冷蔵飼料ＣＰ４とした。
【００６５】
比較例２：発酵物Ａを含む配合飼料の調製
上記発酵物Ａを含む試験用配合飼料を調製した。製造方法は実施例３と同様に行い、冷蔵飼料ＣＰ５とした。原料と配合は表２に示した。
【００６６】
比較例３：魚由来リン脂質を含む配合飼料の調製
魚由来リン脂質を含む試験用配合飼料を調製した。製造方法は実施例３と同様に行い、冷蔵飼料ＣＰ６とした。原料と配合は表２に示した。
【００６７】
比較例４：魚由来リン脂質と醤油を含む飼料の調製
魚由来リン脂質と醤油を含む試験用配合飼料を調製した。製造方法は実施例３と同様に行い、冷蔵飼料ＣＰ７とした。原料と配合は表２に示した。
【表２】
2014030385.tif 000003
＊タウリン：和光純薬工業株式会社製
＊ナイスフィードオイルＲ：植田製油株式会社製（飼料用魚油）
＊淡口醤油：ヒガシマル醤油株式会社製
【実施例６】
【００６８】
実施例６：魚由来リン脂質含有発酵物を配合した配合飼料の調製
実施例２で得られた魚由来リン脂質含有発酵物Ｐ４を配合した試験用配合飼料を調製した。原料と配合量は表３に示した。尚、魚粉は消化性のよい酵素処理魚粉を使用した。
まず、酵素処理魚粉３４ｇ、カゼイン１０ｇ、コーングルテン８．５ｇ、セルロース３ｇ、スターチ８ｇ、ハルバー処方ビタミン混合物５ｇ、ハルバー処方ミネラル混合物８ｇ、タウリン０．５ｇをよく混合した。この混合物にパーム油１０ｇ、ナイスフィードオイルＲ８．５ｇ、実施例２で得られた魚由来リン脂質含有発酵物Ｐ４を１５ｇ、水１０．５ｇを加えよく捏ね合わせた後、ステンレス製のメッシュに通し粒径２．４ｍｍ程度になるよう造粒した。造粒後、−８０℃冷凍庫で急速冷凍し、冷凍飼料ＦＰ８−１５とした。
Ｐ４の添加量を３０ｇとし、同様に製造した冷凍飼料をＦＰ８−３０とした。
【００６９】
比較例５：魚由来リン脂質含有発酵物を含まない配合飼料の調製
魚由来リン脂質含有発酵物を含まない試験用配合飼料を調製した。製造方法は実施例６と同様に行い、冷凍飼料ＦＰ９とした。原料と配合は表３に示した。
【実施例７】
【００７０】
実施例７：魚由来リン脂質含有発酵物を含む飼料の調製（リン脂質と発酵物の混合物）
実施例２で得られた魚由来リン脂質含有発酵物Ｐ２を配合した試験用配合飼料を調製した。製造方法は実施例６と同様に行い、冷凍飼料ＦＰ１０とした。原料と配合は表３に示した。
【実施例８】
【００７１】
実施例８：魚由来リン脂質含有発酵物を含む飼料の調製（混合物をさらに発酵させたもの）
実施例２で得られた魚由来リン脂質含有発酵物Ｐ３を配合した試験用配合飼料を調製した。製造方法は実施例６と同様に行い、冷凍飼料ＦＰ１１とした。原料と配合は表３に示した。
【００７２】
比較例６：大豆由来リン脂質含有発酵物の調製
市販の大豆レシチン（日清レシチンＤＸ：日清オイリオグループ株式会社製）２５ｇと、上記発酵物Ａ７５ｇを撹拌機でよく混合し、大豆リン脂質含有発酵物Ｐ５とした。
大豆リン脂質含有発酵物Ｐ５を含む試験用配合飼料を調製した。製造方法は実施例６と同様に行い、冷凍飼料ＦＰ１２とした。原料と配合は表３に示した。
【００７３】
比較例７：大豆リン脂質を配合した配合飼料の調製
市販の大豆リン脂質を含む試験用配合飼料を調製した。製造方法は実施例６と同様に行い、冷凍飼料ＦＰ１３とした。原料と配合は表３に示した。
【表３】
2014030385.tif 000004
＊各飼料の水分２１ｇ、脂質２０ｇ、タンパク質３６．８ｇとなるように配合した。
＊パーム油：植田製油株式会社製
＊セルロース：「アビセル」旭化成工業株式会社製
＊スターチ：「ホワイトコーンスターチ」日の本キング株式会社製
＊酵素処理魚粉：Ｐｒｏｆｉｓｈ  Ｓ．Ａ．社製
【実施例９】
【００７４】
実施例９  給餌試験
試験１  魚由来リン脂質含有発酵物の効果
２３Ｌ容透明水槽にマダイ稚魚を３尾ずつ収容して各試験区を設けた。試験区は、実施例３と比較例１で製造した冷蔵飼料を用いて、ＣＰ１区、ＣＰ２区とした。給餌は１日１回、週に５日の飽食給餌とした。飼育日数は、７日とした。試験期間中の水温は２０．３〜２１．２℃であった。
【００７５】
実施例３（ＣＰ１区）の魚由来リン脂質含有発酵物を含む飼料は、無添加飼料（比較例１：ＣＰ２区）と比べて餌への喰い付きが非常に良く、飼育期間中の総給餌量は多かった。
【００７６】
このことから、本発明の摂餌促進組成物およびそれを含有する飼料は、養殖魚に対して優れた摂餌誘引効果を発揮することが分かった。
【００７７】
試験２  魚由来リン脂質含有発酵物の効果
２３Ｌ容透明水槽にマダイ稚魚を３尾ずつ収容して各試験区を設けた。試験区は、実施例４と比較例１で製造した冷蔵飼料を用いて、ＣＰ３区、ＣＰ２区とした。給餌は１日１回、週に５日の飽食給餌とした。飼育日数は、２２日とした。試験期間中の水温は２０．４〜２１．４℃であった。飼育結果を表４に示す。
【表４】
2014030385.tif 000005
【００７８】
実施例４（ＣＰ３区）の魚由来リン脂質含有発酵物を含む飼料（３％添加）では、魚由来リン脂質および発酵物を含まない比較例１（ＣＰ２区）と比べて、良好な飼育結果が得られた。飼料効率が大幅に改善され、日間摂餌率・日間成長率・成長倍率でより優れた結果となった。また試験終了後、ＣＰ３区、ＣＰ２区のマダイ稚魚の健康状態は共に良好であった。
【００７９】
このことから、本発明の摂餌促進組成物およびそれを含有する飼料は、養殖魚の摂餌を誘引し、優れた成長促進効果を有することが分かった。
【００８０】
試験３  魚由来リン脂質含有発酵物の効果
２３Ｌ容透明水槽にマダイ稚魚を３尾ずつ収容して各試験区を設けた。試験区は、実施例５と比較例１、２、３、４で製造した冷蔵飼料を用いて、ＣＰ４区、ＣＰ２区、ＣＰ５区、ＣＰ６区、ＣＰ７区とした。給餌は１日１回、週に５日の飽食給餌とした。試験日数は１１日とした。試験期間中の水温は２０．６〜２１．６℃であった。飼育結果を表５に示す。
【表５】
2014030385.tif 000006
【００８１】
魚由来リン脂質も発酵物Ａも含まない無添加飼料区（比較例１：ＣＰ２区）に比べて、発酵物Ａ、魚由来リン脂質のいずれかを含む全ての試験区で良好な飼育結果が得られた。
【００８２】
日間成長率と成長倍率を比べてみると、発酵物Ａのみ（比較例２：ＣＰ５区）と魚由来リン脂質のみ（比較例３：ＣＰ６区）は、ともにＣＰ２区よりも優れていた。さらに発酵物Ａと魚由来リン脂質の両方を含む飼料（実施例５：ＣＰ４区）では、それぞれの単品で得られるよりもさらに良好な飼育結果が得られた。このことから、発酵物Ａと魚由来リン脂質を組み合わせて使用することで格別顕著な効果が得られ、それぞれを単品で使用したときには得られない相乗効果がもたらされることが明らかとなった。
【００８３】
また、醤油と魚由来リン脂質の混合物（比較例４：ＣＰ７区）でも良好な飼育結果が得られたが、その効果はそれぞれを単独で使用したときの相加効果程度あるいはそれ以上であると思われた。
【００８４】
試験４  魚由来リン脂質含有発酵物の効果（Ｐ４添加量０％、１５％、３０％の比較）
２３Ｌ容透明水槽にマダイを２尾ずつ収容して各試験区を設けた。試験区は、実施例６と比較例５で製造した冷凍飼料を用いて、ＦＰ８−１５区、ＦＰ８−３０区、ＦＰ９区とした。給餌は１日２回、週に５日の飽食給餌とし、１０：００〜１２：００に１回と、１５：００〜１７：００に１回行った。飼育日数は２８日とした。試験期間中の水温は２１．２〜２２．６℃であった。飼育結果を表６に示す。
【表６】
2014030385.tif 000007
【００８５】
無添加飼料区（比較例５：ＦＰ９区）に比べて、魚由来リン脂質含有発酵物１５％添加区（実施例６：ＦＰ８−１５区）では、明らかに給餌量が増加し、優れた飼育成績が得られた。成長倍率から分かるように同期間の飼育でより大きく成長し、飼料効率も改善された。
【００８６】
また３０％添加区（実施例６：ＦＰ８−３０区）では、１５％添加区には劣るものの、無添加飼料区よりも優れた飼育成績が得られた。
【００８７】
このことから、本発明の摂餌促進組成物およびそれを含有する飼料は、養殖魚の摂餌を促進し、飼料効率を高め、成長を早めることが改めて確認された。その添加量も飼料に対して１５％でも、３０％でも効果を発揮することが分かった。
【００８８】
試験５  魚由来リン脂質含有発酵物の効果（無添加、リン脂質発酵物、発酵物混合リン脂質の比較）
２３Ｌ容透明水槽にマダイを２尾ずつ収容して各試験区を設けた。試験区は、実施例７と実施例８と比較例５で製造した冷凍飼料を用いて、ＦＰ１０区、ＦＰ１１区、ＦＰ９区とした。給餌は１日１回、週に５日の飽食給餌とした。飼育日数は３５日とした。試験期間中の水温は１９．９〜２１．５℃であった。飼育結果を表７に示す。
【表７】
2014030385.tif 000008
【００８９】
無添加飼料区（比較例５：ＦＰ９）に比べて、発酵物混合魚由来リン脂質１５％添加区（実施例７：ＦＰ１０区）及び、魚由来リン脂質発酵物１５％添加区（実施例８：ＦＰ１１区）は、飼料効率、日間成長率、成長倍率で優れていた。この結果は試験１〜３と同様であり、改めて本発明の摂餌促進組成物の有効性が証明された。
【００９０】
またＦＰ１１区はＦＰ１０区よりも飼料効率、日間成長率、成長倍率で優れた飼育成績が得られた。今回の結果より、魚由来リン脂質と発酵物Ａの混合物でも摂餌促進効果と成長促進効果が得られるが、さらに発酵処理を行った方がより優れた効果が得られることが明らかとなった。
【００９１】
比較試験１  大豆由来リン脂質含有発酵物（リン脂質無添加、大豆リン脂質、大豆リン脂質発酵混合物の比較）
２３Ｌ容透明水槽にマダイを２尾ずつ収容して各試験区を設けた。試験区は、比較例５、比較例６、比較例７で製造した冷凍飼料を用いて、ＦＰ９区、ＦＰ１２区、ＦＰ１３区とした。給餌は１日１回、週に５日の飽食給餌とした。飼育日数は４６日とした。試験期間中の水温は２０．０〜２１．８℃であった。飼育結果を表８に示す。
【表８】
2014030385.tif 000009
【００９２】
大豆由来リン脂質区（比較例７：ＦＰ１３区）では、飼料効率、日間成長率、成長倍率でリン脂質無添加区（比較例５：ＦＰ９）よりも劣る結果となった。一方、発酵物を混合した大豆リン脂質区（比較例６：ＦＰ１２）では、ＦＰ１３区よりも改善が見られＦＰ９区とほぼ同等の結果が得られた。
【００９３】
今回の結果より、大豆由来リン脂質は養殖魚の摂餌を抑制し、成長を遅らせることが分かった。しかし大豆由来リン脂質に発酵物を添加することで、無添加区と遜色のないレベルまで成長を改善できることが分かった。この混合物をさらに発酵させることにより、更なる成長促進効果が期待できる。
【実施例１０】
【００９４】
実施例１０：魚由来リン脂質含有発酵物を含む釣り餌の調製
魚由来リン脂質含有発酵物を含む釣り餌を調製した。実施例２で得られた魚由来リン脂質含有発酵物Ｐ３と薄力粉を混ぜ、よく捏ね合わせて団子状にし、釣り餌Ａとした。原料と配合は表９に示す。
【００９５】
比較例８
魚油を配合した釣り餌を調製した。製造方法は実施例１０と同様に行い、釣り餌Ｂとした。原料と配合は表９に示す。
【表９】
2014030385.tif 000010
【００９６】
試験６
２００Ｌ容透明円形水槽に、マダイ稚魚を２５尾収容した。水槽に２種類の釣り餌を同時に投入し１分間吊り下げ、各釣り餌に集まってくるマダイ数を比較した。釣り餌はプラスチック製の透明メッシュ状カップに入れ、タコ糸で水面付近に吊り下げた。魚が釣り餌カップをつついた時点で、1匹としてカウントした。結果を表１０に示す。
【表１０】
2014030385.tif 000011
【００９７】
２種類の釣り餌に集まるマダイの数を比較したところ、魚由来リン脂質含有発酵物を含む釣り餌Ａにより多くのマダイが集まった。本発明の魚由来リン脂質含有発酵物は、釣り餌に利用しても優れた集魚効果を発揮した。
【産業上の利用可能性】
【００９８】
上記の通り、本発明の魚由来リン脂質含有発酵物添加飼料は、養殖魚の摂餌を促進し、成長を促進する。これにより、養殖魚を短い飼育期間で出荷サイズまで成長させることが可能である。